(57)【特許請求の範囲】
【請求項１】
ディジタル放送受信部を含む複数のオーディオソースと、該各オーディオソースの動作を制御する制御部とを具備するオーディオシステムにおいて、
前記制御部は、オーディオシステムの電源投入時に、前記複数のオーディオソースの内から前回のオーディオシステム使用時の最後に選択されたオーディオソースを動作させると共に、前記ディジタル放送受信部における所定の動作を開始させることを特徴とするオーディオシステム。
【請求項２】
前回のオーディオシステム使用時に前記ディジタル放送受信部で選択していたラストチャネルを記憶するメモリを有し、
前記制御部は、前記ディジタル放送受信部における前記所定の動作として、前記メモリに記憶した前記ラストチャネルを受信する制御を行うことを特徴とする請求項１に記載のオーディオシステム。
【請求項３】
ユーザの好みのフェバリトチャネルを記憶するメモリを有し、
前記制御部は、前記ディジタル放送受信部における前記所定の動作として、前記メモリに記憶したディジタル放送の前記フェバリトチャネルを受信する制御を行うことを特徴とする請求項１に記載のオーディオシステム。
【請求項４】
前記制御部は、前記ディジタル放送受信部における前記所定の動作において、チャネルサーチにより得たデータをプリセットチャネルに自動設定することを特徴とする請求項１に記載のオーディオシステム。
【請求項５】
前記制御部は、前記オーディオシステムに接続されたナビゲーションシステムから自オーディオシステムの位置を取得し、該位置を含む地域に係る放送局リストを読み出し、該放送局リストに従ってサーチ処理を行って獲得した放送情報をプリセットチャネルに自動設定することを特徴とする請求項４に記載のオーディオシステム。
【請求項６】
前記制御部は、前記自オーディオシステムの位置が変化して受信できる放送局に変動が生じたとき、自動的に前記プリセットチャネルの設定をやり直すことを特徴とする請求項５に記載のオーディオシステム。
【請求項７】
前記制御部は、オーディオソースとして前記ディジタル放送受信部が選択されたとき、該ディジタル放送受信部の動作が開始されてからディジタル放送が出力されるまでの間に、前記複数のオーディオソースの内のディジタル放送受信部を除く１つのオーディオソースを動作させることを特徴とする請求項１に記載のオーディオシステム。
【請求項８】
表示パネルを有し、前記制御部は、オーディオソースとしてディジタル放送受信部が選択されたとき、該ディジタル放送受信部の動作が開始されてからディジタル放送が出力されるまでの間に、前記表示パネルに所定のメッセージを表示することを特徴とする請求項１又は請求項７に記載のオーディオシステム。
【発明の詳細な説明】
【０００１】
【発明の属する技術分野】
本発明は、ディジタル放送受信部を含むオーディオシステムに関する。
【０００２】
【従来の技術】
ディジタル放送は、ヨーロッパ、カナダを始めとして、世界的に普及してきており、日本においても、実用化される予定である。ディジタル放送は、アナログ放送とは異なり、その性質上、放送波（搬送波）に多くの情報を蓄えているため、受信機で選局したときに、音声又は映像が出力されるまでに時間を要するという特徴がある。
【０００３】
【発明が解決しようとする課題】
例えば、ヨーロッパで実施しているディジタル放送のＤＡＢ(Digital Audio Broadcasting ディジタル音声放送）では、ユーザによる選局から音声出力まで約４〜１０秒を要している。特に電波状態が悪い場合には、３０秒を要する場合もある。このため、ユーザはディジタル放送の受信をするときは毎回イライラし、ひいてはディジタル放送の受信を好まなくなる。
【０００４】
本発明は、ディジタル放送受信部を含むオーディオシステムにおいて、ディジタル放送の選局からディジタル放送の音声又は映像の出力までの時間を短縮することを目的とするものである。
【０００５】
【課題を解決するための手段】
本発明は、上記目的を達成するためなされたものである。本発明は、ディジタル放送受信部を含む複数のオーディオソースと、該各オーディオソースの動作を制御する制御部とを具備するオーディオシステムにおいて、前記制御部は、オーディオシステムの電源投入時に、前記複数のオーディオソースの内から前回のオーディオシステム使用時の最後に選択されたオーディオソースを動作させると共に、前記ディジタル放送受信部における所定の動作を開始させる。
【０００６】
本発明によれば、オーディオ周波数の制御部は、ユーザがディジタル放送を選択する前に、ディジタル放送について、オートサーチ、周波数の存在の確認、できる限りのデコードなどを済ませる。これにより、ユーザがオーディオ周波数の電源投入後、実際にディジタル放送を選択したときに、短時間でディジタル放送の音声又は映像の出力を得ることができる。
【０００７】
【発明の実施の形態】
本発明を車載用のオーディオシステムに適用した実施形態について図を用いて説明する。また、ディジタル放送としてＤＡＢを受信する例について説明する。
図１は、本発明を適用したオーディオシステムの構成を示す図である。
図示のオーディオシステム１１は、オーディオソースとして、ナビゲーション／テレビ受信部１２、ＡＭ／ＦＭ放送受信部１３、ＣＤ／ＭＤデッキ１４、カセットデッキ１５、ＤＡＢ受信部１６を有し、それぞれがコントロール部１７により制御される。上記各部１２〜１７は、ＬＡＮにより接続される。コントロール部１７は、マイコンにより構成され、ＣＰＵ、メモリなどを含む。各ソースの出力はコントロール部１７により切り替え制御されて、アンプ１８により増幅されてスピーカ１９から出力される。
【０００８】
ナビゲーション／テレビ受信部１２は、ＧＰＳ及びＴＶ用アンテナ２１と接続され、ＡＭ／ＦＭ放送受信部１３は、アンテナ２２を有し、ＤＡＢ受信部１６は、ＤＡＢ用アンテナ２３と接続される。
図２は、ＤＡＢ受信部１６における周波数設定から音声出力までのシーケンスを示す。
【０００９】
ステップＳ１〜５までが、周波数設定シーケンスである。ステップＳ１で、ＲＦモジュール部のバンド選択が行われる。ステップＳ２で、ＲＦモジュール部の電源安定待ちがされる。これには、約１００msec程度の時間を要する。ステップＳ３で、復調ＬＳＩの周波数設定がされる。ステップＳ４で、復調ＬＳＩからの受信可否返答待ちが行われる。これには、８００msec以上の時間を要し、平均的には約２秒を要する。ステップＳ５で、周波数設定の後処理がされる。
【００１０】
ステップＳ６，７がサービス情報の取得待ちである。ステップＳ６で、ＭＣＩ取得設定がされる。これには、約１００msec程度の時間を要する。ステップＳ７で、サービス情報取得待ちがされる。
ステップＳ８〜１４がチャネル設定シーケンスである。ステップＳ８で、ユーザの判断により、サービス選択（チャネル設定開始）が行われる。ステップＳ９で、チャネル設定が解除される。ステップＳ１０で、ＭＰＥＧデコードの停止待ちがされる。これには、約１５０msec程度の時間を要する。ステップＳ１１で、ＭＰＥＧデコーダのディセイブルが設定される。ステップＳ１２で、ＭＰＥＧデコーダのイネイブルが設定される。ステップＳ１１，１２には、約５０msec程度の時間を要する。ステップＳ１３でチャネル設定がされる。ステップＳ１４で、ＭＰＥＧデコードの復帰待ちがされる。これには、約１００msec程度の時間を要する。
【００１１】
ステップＳ１５で、ミュート制御として、ミュート解除待ちがされる。これには、約７５０msec程度の時間を要する。このミュート制御が終了すると、スピーカ１９から音声が出力される。
図２に示したシーケンスは、ＤＡＢの選択からミュート制御の終了まで、前述のように、４〜１０秒、場合によっては３０秒の時間を要する。本実施形態においては、オーディオ周波数１１の電源オンと同時に、コントロール部１７は、図２に示すシーケンスの一部を実行する。これにより、ユーザがＤＡＢのチャネルを設定すると、コントロール部１７が音声出力までのシーケンスが終了していれば、直ちに音声が出力され、シーケンスの実行中であればそれを継続して、終了すると音声が出力される。したがって、従来より少ない待ち時間で、音声の出力を得ることができる。
【００１２】
オーディオシステムの電源投入と同時にコントロール部１７により実行されるＤＡＢのシーケンスとしては、以下に示すように、種々の例がある。
（実施例１）
図３に、実施例１のフローチャートを示す。
オーディオシステム１１の電源が投入されると、従来のシステムと同様に、ステップＳ２１でラストソースのモード選択が行われ、ステップＳ２２のオーディオシステム１１の通常動作に移行する。ステップＳ２１のラストソースのモード選択では、前回のオーディオシステム１１の使用時の最後に選択されていたソース（例えば、ＣＤ／ＭＤデッキ１４）が選択される。ステップＳ２２の通常動作では、表示部（図示せず）にラストソースの表示を行い、次いで、ユーザによるソースの選択、プレイの指示などに従った制御を行う。
【００１３】
一方、電源投入と同時に、ＤＡＢのオートサーチが実施される。ステップＳ２３でＤＡＢ受信部１６を起動し、ステップＳ２４でシークを開始する。ステップＳ２５で帯域についてのシークが完了すると、ステップＳ２６で、シークの結果として得た周波数、サブチャネルなどを保存する。その後、ステップＳ２２のシステムの通常動作に進む。
【００１４】
この結果、ＤＡＢ受信部１６については、既に図２に示したステップＳ８までが完了しているので、ステップＳ２２のシステムの通常動作で、ユーザがソースとしてＤＡＢを選択すると、ステップＳ９以降の動作が開始される。このように、ユーザがＤＡＢを選択してから再生された音声が出力されるまでには、ステップＳ９〜１５の処理が行われるだけであるので、従来のシステムと比較すると、音声出力までの時間が短縮され、ユーザの不満を低減することができる。
【００１５】
（実施例２）
図４に、実施例２のフローチャートを示す。
電源投入時のステップＳ３１，３２は、上記実施例１（図３）のステップＳ２１，２２と同様である。
電源投入と同時に、ＤＡＢのラストチャネルの受信が実施される。ステップＳ３３でＤＡＢ受信部１６を起動し、ステップＳ３４で前回ＤＡＢで最後に受信していたチャネル（ラストチャネル：常に最新の受信チャネルがラストチャネルメモリに記憶されるようになっており、起動時等、ラストチャネルデータが必要な時にこのラストチャネルメモリからラストチャネルが呼び出されることとなる）を設定する。ステップＳ３５でデコードを完了すると、ステップＳ３２のシステムの通常動作に進む。
【００１６】
この結果、ＤＡＢ受信部１６については、図２に示したステップＳ１４までが完了しているので、ステップＳ３２のシステムの通常動作で、ユーザがソースとしてＤＡＢを選択すると、図２のステップＳ１４へ進み、ミュート解除待ち後にラストチャネルの再生された音声が出力される。その後は、ユーザが異なるソース又はＤＡＢの異なるチャネルを選択するまでこの出力が継続される。
【００１７】
本例によれば、ユーザがシステムの電源を投入してＤＡＢを選択すると、選択したチャネルの音声が出力されるまでの間、ラストチャネルの音声が出力され、表示部にラストチャネルの音声が出力されていることが表示される。その後、選択したＤＡＢについてのデータ処理が完了すると、選択したチャネルの音声が出力される。したがって、ユーザは、待ち時間を意識することなく、ＤＡＢを楽しむことができる。
【００１８】
（実施例３）
本例は、上記実施例２のラストチャネルの代わりに、ユーザの好みのチャネル（フェバリトチャネル）を受信する。本例の動作は、実施例２の図４のフローチャートの一部を変更することにより実行できる。
本例では、予めフェバリトチャネル（例えば、ユーザが個人的に良く受信するチャネル）をシステムに設定しておく。図４のフローチャートの内、ステップＳ３４のみが変更される。ここでは、ラストチャネルの設定に代えてフェバリトチャネルに設定する処理が行われる。この結果、ユーザがＤＡＢのあるチャネルを選択してから、そのチャネルの再生音声が出力されるまで、予めに自分が設定しておいた好みのチャネルの放送内容が出力される。その他の点については、実施例２と同様の効果を得ることができる。なお、フェバリトチャネルの設定は、例えば所定スイッチの操作により、その時に再生中のチャネルを設定する方法等により行うようにすればよい。
【００１９】
（実施例４）
図５に、実施例４のフローチャートを示す。
図５では、ステップＳ２１〜２６は実施例１の図３と同様であり、ステップＳ２６の後にステップＳ２７が挿入された点のみが異なる。ステップＳ２６でシークの結果を保存すると、ステップＳ２７で、サーチ処理により得たデータをプリセットチャネルに自動設定する。これにより、ステップＳ２２のシステムの通常動作において、ユーザが所望のプリセットボタンを押すと、図２のステップＳ９以降の動作が開始されることとなり、ユーザにとって更に使い易くなる。
【００２０】
（実施例５）
図６に、実施例５のフローチャートを示す。
電源投入時のステップＳ４１，４２は、上記実施例１（図３）のステップＳ２１，２２と同様である。
電源投入と同時に、ＤＡＢについてオートサーチが実施される。ステップＳ４３で、ＤＡＢ受信部１６を起動し、ステップＳ４４で、ナビゲーション／テレビ受信部１２から自車の位置（地域）を読み出し、ステップＳ４５で、その地域における放送局リストの読み出しを行う。この放送局リストは、ナビゲーション／テレビ受信部１２に記憶したもの、又は、ＤＡＢ受信部１６に記憶したもののいずれであっても良い。
【００２１】
ステップＳ４６で、放送局リストに従ってシークを行って受信を行う。ステップＳ４７で、シークの結果のサブチャネル放送情報などのデータを保存し、ステップＳ４９で、サーチ処理により得たデータをプリセットチャネルに自動設定する。このステップＳ４９は上記の実施例４（図５）のステップＳ２７と同様である。
【００２２】
本例によれば、ナビゲーション／テレビ受信部１２を利用して、自車の地域にある放送局について予め受信をしておくので、ＤＡＢにおけるシーク処理を更に短時間で済ませることができる。
また、本例においては、自動車が移動をして地域及び受信できる放送局に変動が生じた場合、自動的にプリセットをやり直すようにすることもできる。この場合は、ステップＳ４２におけるシステムの通常動作中に、定期的（所定時間ごと、あるいは所定距離移動するごとに）にステップＳ４４以降の割り込みを行うようにする。この場合、ステップＳ４５で読み出した放送局リストに変化がなければ、ステップＳ４６〜４９はスキップし、変化が生じたときは、ステップＳ４６〜４９の処理を行うようにすることが好ましい。
【００２３】
（実施例６）
図７に、実施例６のフローチャートを示す。
以上説明した実施例１〜５は、オーディオシステム１１の電源を投入すると、通常の処理と同時にＤＡＢの受信を開始することにより、ユーザが実際にＤＡＢの受信を選択してから、ＤＡＢの再生音声の出力がされるまでの時間を短縮している。しかしながら、そのように時間を短縮しても、ＤＡＢを選択した直後に音声が出力されない場合がある。本例は、この待ち時間をユーザに体感的に感じさせないようにするものである。
【００２４】
実施例１〜５（図３〜６）におけるシステムの通常動作（ステップＳ２２、３２、４２）で、ユーザがソースとしてＤＡＢを選択する（図７のステップＳ５１）とＤＡＢ受信のためのデータ処理が、それまで実行されていた処理に続いて行われる（ステップＳ５２）。
一方、ステップＳ５１のユーザによるＤＡＢの選択と同時に、ステップＳ５３で、オーディオシステム１１の表示部（図示せず）に「ただいま受信中、しばらくお待ち下さい」などのメッセージを流す。このメッセージの表示により、ユーザは、ＤＡＢを出力する準備がされていることを認識できるので、ＤＡＢの再生音声が出力されなくても、不快感を感じずに音声が出力されるのを待つことができる。
【００２５】
ステップＳ５２のデータ処理が終了すると、ステップＳ５５でＤＡＢの再生音声の出力が行われる。同時に、ステップＳ５４で、表示部に表示されていたメッセージを消去する。
以上実施例６について説明をしたが、本例は、更に変形が可能である。例えば、ステップＳ５３のメッセージの表示に代えて、あるいはメッセージを表示すると共にＣＤ／ＭＤデッキ１４などのその他のソースに切り替えて、その再生音声又は映像の出力を行うようにすることもできる。この場合、ステップＳ５２のＤＡＢのデータ処理が終了すると、ステップＳ５４でその他のソースの出力が停止される。
【００２６】
【発明の効果】
本発明によれば、ＤＡＢ受信部を含むオーディオシステムにおいて、ディジタル放送の選局からディジタル放送の出力までの時間を、実際に又は体感的に短縮することができる。
【図面の簡単な説明】
【図１】本発明を適用したオーディオシステムの構成図。
【図２】図１におけるＤＡＢ受信部のシーケンスを示す図。
【図３】図１のオーディオシステムの動作の第１の実施例を示すフローチャート。
【図４】図１のオーディオシステムの動作の第２及び第３の実施例を示すフローチャート。
【図５】図１のオーディオシステムの動作の第４の実施例を示すフローチャート。
【図６】図１のオーディオシステムの動作の第５の実施例を示すフローチャート。
【図７】図１のオーディオシステムの動作の第６の実施例を示すフローチャート。
【符号の説明】
１１…オーディオシステム
１２…ナビゲーション／テレビ受信部
１３…ＡＭ／ＦＭ放送受信部
１４…ＣＤ／ＭＤデッキ
１５…カセットデッキ
１６…ＤＡＢ受信部
１７…コントロール部
１８…アンプ
１９…スピーカ
２１，２２，２３…アンテナ
【図１】
0004179716.tif 000002
【図２】
0004179716.tif 000003
【図３】
0004179716.tif 000004
【図４】
0004179716.tif 000005
【図５】
0004179716.tif 000006
【図６】
0004179716.tif 000007
【図７】
0004179716.tif 000008